Podtech/llm-jp-corpus-v4-ja_patent huggingface dataset:
(57)【要約】【課題】  ゴルフのアイアンショットは打球した後スウィングの軌道が最下点となりマットを強く叩くため手や肘への衝撃が強く腱鞘炎となりやすい。  ディボットはマットの一部分、一方向に出来易いのでマットの全面を均等に使用出来ることが望まれる。  コース上で求められる多様なショットを練習できるマットが望まれる。【解決手段】  芝葉の長さの異なる二種類のマットを表面が同一平面となるよう接合し芝葉の長いマット１を球６の打球方向の前方に置くことにより打球後にスウィングの軌道７が最下点となっても芝葉が長いためマットの底板８から生じる衝撃による手や肘の痛みや腱鞘炎を防ぎターフを取る感触を体感できる。    またマットを正方形にすることにより方向性を無くしマットの全面を均等に使用出来る様にした。二種類のマットを使用し多様なショットに対応した。【選択図】図２
0003146661.tif 000002
【実用新案登録請求の範囲】
【請求項１】
芝の長さの異なる二種類のマットの上面を同一平面に並べ接合されたのを特徴とするゴルフ練習用のマット。
【請求項２】
前記の二種類のマットは正方形で且つ辺の長さが同じであることを特徴とする請求項１記載のゴルフ練習用のマット。
【請求項３】
前記二種類のマットの各辺に半円筒形の溝が１個乃至複数個等間隔で上下方向に設けられ２種のマットを接合すると円筒状の中空となりティーを挿入できることを特徴とする請求項１記載のゴルフ練習用のマット。
【請求項４】
前記二種類のマットはそれぞれ外枠より取り外せ平面上で９０度回転させて方向を変えることが可能であることを特徴とする請求項１記載のゴルフ練習用のマット。
【考案の詳細な説明】
【技術分野】
【０００１】  本考案はゴルフのアイアンショットでの練習時、マットから手首や肘に伝わる衝撃によって起る腱鞘炎を防止し且つコース上と同様の打感を再現出来る様考案されたものである。又、コース上で求められる多様なショットを練習できること。  一部分、一方向のディボットや摩耗を防ぎ四面を平均に使用することで環境に優しいマットを提供する。
【技術背景】
【０００２】  ゴルフのアイアンショットは打球後にスウィング軌道が最下点になるため、練習用のマット上では、打球後にマットを強く叩き手首や肘への衝撃により腱鞘炎となる。  これを防ぐ為従来の考案では打球後にクラブの通る部分を一段低くしていたが、コース上の平面での打感やターフを取る感覚が得られない。又、繰り返す練習によりマットの芝の一部が損傷して手首や肘へ衝撃が多くなる。マットを有効に使用するため四面均等に使用出来ることが望まれる。
【０００３】  このようなことから、従来に於いても種々の考案があるが例として特許公開２００３−１０２８９１で提示されている。
【考案の開示】
【考案が解決しようとする課題】
【０００４】  アイアンショットをマット上で練習する際に、コース上と同様の平面上に球を置き、打球後もマットからの衝撃を受けることなくターフを取る感触を体感して練習出来ること。マットの一部分だけのディボットや磨耗を無くし、全体を均一に有効利用できること。  コース上で求められる多様なショットをマット上でも練習出来ること。
【考案が解決するための手段】
【０００５】  打球後にマットからの衝撃を和らげる為、芝の長さの異なる二種類のマットを組み合わせ球前方の芝は長いものを使用する。
マットを正方形にし方向性を無くして四方を均等に使用できるようにする。
二種類のマットを使用することにより多様な練習が可能。
【考案の効果】
【０００６】  打球方向の前方半分を芝の長いマットを使用することにより、マットの底板からの衝撃が無くし、衝撃による手や肘に起きる腱鞘炎を防止出来る。
上面を同一平面にすることによりコースで打球する感覚が再現でき芝の適度な抵抗によりターフを取る感触を体感出来る。
二種類のマットをそれぞれ正方形にし、２枚合わせて使用することにより、方向性を無くし一部損傷や摩耗しても平面上で９０度回転して使用することにより四方均等に有効使用でき環境に優しいマットを提供出来る。
二種類のマットによりラフからの練習、アイアンショット、アプローチショット、ティーアップでの練習等多様な練習が可能。
【考案を実施するための最良の形態】
【０００７】  以下、本考案を実施するための最良の形態について、図面を参照して説明する。【０００８】    図１は本考案の全体斜視図、  図２はアイアンショットでのスイング軌道とターフの取れる状態を示す。
芝の長さの異なる二種類のマット１，２を表面同一の高さに設置する。  球６を二種類のマットの境界線上に安定して置けるようマット表面と同じ高さのティーをティー穴に挿入して使用する。
２種類のマット１，２、は外枠３より取り出せ縦横の方向を自由に変えることが出来る。【０００９】  次に、本考案の使用方法について説明する。【００１０】  アイアンショットでは、右利きの場合右側に芝の短いマット２、左に芝の長いマット１となるよう設置する。
芝目の境目のティー穴にマット表面と同じ高さのティーを差し込み、その上に球６を置く。アイアンショットではスイングの軌道は７で示すように打球後に最下点になるが芝葉が長いため底板８の衝撃を受けずに振り抜くことが出来、同時にコース上と同様なターフをとる感触を体感できる。【００１１】  次にショットの性質上、マットの一部を酷使する場合が多い為にディボットの損傷箇所が特定の一部分に集中し易い、この様な一部損傷箇所を避けマット全体を有効に使用するため、図３に示すようにマットを平面上で９０度回転し使用頻度の低い場所に移動させる。【００１２】  コース上では様々な状態でのショットが求められる。  マット上の練習も様々な状態を想定しての練習が求められる。  本考案では二種類のマットを使用し多様なショットの練習が可能となる。図４はその練習例を示す。
図４−１  マット１，２を使用しアイアンショットでターフを取る
図４−２  マット１を使用しラフからのショット
図４−３  マット２を使用しアプローチショット、ロブショット
図４−４  高いティー９を使用しティーアップでのショット
【図面の簡単な説明】
【００１３】
【図１】ゴルフ練習マットの全体斜視図
【図２】考案のマットを使用してアイアンショットする状態
【図３】マットの損傷箇所を避ける為方向を変える状態。
【図４】多様な練習での使用例
【符号の説明】
【００１４】１  芝葉の長いマット
２  芝葉の短いマット
３  外枠
４  ティー挿入用の穴
５  ティー
６  球
７  スウィングの軌道
８  芝の底板
９  ディボット
【図１】
0003146661.tif 000003
【図２】
0003146661.tif 000004
【図４】
0003146661.tif 000005
【図４】
0003146661.tif 000006
0003146661.tif 000007
【手続補正書】
【提出日】平成20年9月20日(2008.9.20)
【手続補正１】
【補正対象書類名】図面
【補正対象項目名】全図
【補正方法】変更
【補正の内容】
【図１】
0003146661.tif 000008
【図２】
0003146661.tif 000009
【図３】
0003146661.tif 000010
【図４】
0003146661.tif 000011
(57)【要約】      （修正有）【課題】耐磨耗性の金属等の薄板状の補助板を板本体の周縁部上面に取り付けて耐磨耗性、耐久性のあるパテ板にする。【解決手段】板本体と板本体の裏面に支持部２および持ち手３を固設したパテ板に於いて、板本体の周縁部上面の適宜位置に耐磨耗性の金属等の補助板４を適宜長に切断して取り付けた。補助板は耐磨耗性の金属などで薄板状に形成されているので、補助板を板本体の周縁部上面に取り付けた場合、ヘラに付着したパテ材を補助板の端部で削り落とす作業を繰り返し行っても、端部が損傷することはない。【選択図】図２
0003146680.tif 000002
【実用新案登録請求の範囲】
【請求項１】
板本体と板本体の裏面に支持板および持ち手を固設したパテ板に於いて、耐磨耗性の金属等で薄板状に形成した補助板を適宜長に切断し、前記板本体の周縁部上面の適宜位置に取り付けたことを特徴とするパテ板。
【考案の詳細な説明】
【技術分野】
【０００１】  本考案は、内装の壁紙などの下地の凹凸を補修する際にヘラと併用するパテ板の上面に補助板を設けた、パテ板に関するものである。
【背景技術】
【０００２】  従来、パテ板は所望量のパテ材を載せて持ち運んだり、パテ材を合わせたりする際に使用するもので、作業時、ヘラに付着したパテ材はパテ板の上面の端部で削り落としていた。一般的には木製、合成樹脂、金属製が販売されている。
【特許文献１】実登献  ３１２７４９２
【考案の開示】
【考案が解決しようとする課題】
【０００３】  しかしながら、従来の木製、合成樹脂のパテ板は軽量ではあるが、作業時、ヘラ板に付着したパテ材をパテ板の上面の端部で削り落とす作業を繰り返し行っていると、端部がヘラによって削られ損傷する。また、パテ材を削り落とす際に加わる荷重により端部が変形し、パテ板にねじれが生じる等、耐磨耗性、耐久性に問題がある。そして、金属製やパテを載せる上面に金属を貼着したパテ板は重量的にも決して軽いものではなく、パテ材を載せた際にはかなりの重量になり労働的負担になり作業効率が低下する。【０００４】  本考案は、上記の問題点を解決するために、木製、合成樹脂のパテ板を補強したパテ板を提供することを目的としたものである。
【課題を解決するための手段】
【０００５】  上記目的を達成するために、本考案は板本体と板本体の裏面に支持板および持ち手を固設したパテ板に於いて、板本体の周縁部上面に取付ける補助板を耐磨耗性の金属等で薄板状に形成した。【０００６】  そして、薄板状に形成した補助板を適宜長に切断し、板本体の周縁部上面の適宜位置に取り付けたものである。
【考案の効果】
【０００７】  上述のように、本考案の補助板は耐磨耗性の金属などで薄板状に形成されているので、補助板を板本体の周縁部上面に取り付けた場合、ヘラに付着したパテ材を補助板の端部で削り落とす作業を繰り返し行っても、端部が損傷することはない。【０００８】  また、補助板は薄板状に形成されているので容易に適宜長に切断して、取り付けられる。【０００９】  そして、パテ板の周縁部上面に補助板を取り付けることにより、周縁部が補強されるので、パテ材を削り落とす際に加わる荷重でのパテ板の変形、ねじれが減少される。【００１０】  さらに、金属製のパテ板と比べ軽量化を図ることが出来るので、労働的負担が少なく作業性が向上する。また、製造コストも低減できる。
【考案を実施するための最良の形態】
【００１１】  耐磨耗性の金属等で薄板状に補助板を形成し、補助板を適宜長に切断して、板本体の周縁部上面の適宜位置に取り付ける。
【実施例】
【００１２】  １はパテ材を載せる平面方形の板本体である。板本体１の裏面には支持部２とおよび持ち手３を固設している。４は耐磨耗性の金属等で薄板状に形成された補助板である。補助板４は板本体１の全周４辺の少なくとも１辺以上に取り付けられる。実施例では、補助板４が板本体１の４辺のうち対向する２辺に取り付けられているが、全周４辺に取り付けてもよい。５は補助板の端部である。【００１３】  本考案は以上の構成であるから、耐磨耗性の薄板状の補助板を適宜長に切断して、板本体の周縁部上面の適宜位置に取り付けたことにより、パテ板の耐磨耗性、耐久性を向上した。
【図面の簡単な説明】
【００１４】
【図１】本考案のパテ板の平面図である。
【図２】本考案のパテ板の側面図である。
【符号の説明】
【００１５】  １  板本体
２  支持部
３  持ち手
４  補助板
５  端部
【図１】
0003146680.tif 000003
【図２】
0003146680.tif 000004
(57)【要約】      （修正有）【課題】簡便で迅速な収納が可能な携帯ケースを付属し、日常的な外出に負担少なく携行可能な買い物バッグを提供する。【解決手段】買い物バッグは別途布製などで制作する。携帯型収納ケース２，３はたまご形状の軟度のプラスチック製で半分の位置にある２Ａ，３Ａの合わせ口からそれぞれ反転させることができる。収納ケース３に比し、収納ケース２の方が縦を長く構成し、その上部に穴を穿ち、バッグの携帯に便利なように、金属製フックを取り付ける。収納ケース２，３をそれぞれ反転展開すると、中心部で１本のプラスチック製のバッグ巻き付け用軸の両端にそれぞれ繋がっており、該バッグ巻き付け用軸に買い物バッグを巻き付ける。巻き付けたのち、再度、収納ケース２，３を反転させて、２Ａ，３Ａを合わせることで、該買い物バッグを収納する。【選択図】図３
0003146678.tif 000002
【実用新案登録請求の範囲】
【請求項１】
必要十分な耐久性を備えつつ、徹底した軽量化を図り、雨などの天候にもある程度対応できるだけの撥水性を備えている買い物バッグを、タマゴ形状のプラスチック製で、真ん中から半分がそれぞれ反転し開き、中心の軸に買い物袋を巻き付け、両側からケースの再度反転させると袋がタマゴ形状のケース内に収納されるという特徴を持つ携帯型収納ケース付買い物バッグ
【考案の詳細な説明】
【技術分野】
【０００１】    本校案は携帯型の収納ケースが付属した、買い物用バックに関するものである。
【背景技術】
【０００２】    スーパーやコンビニなどに買い物に行った際、店提供のビニール製のレジ袋を使用することが一般的であったが、近年、エコ意識の高まりによって、買い物用のバッグを携帯することが一般的になりつつある。
【考案開示】
【考案が解決しようとする課題】
【０００３】    店提供のビニール製のレジ袋はＣＯ２削減の観点から、近年削減の傾向にあり、その代替品として、買い物用のバッグを携帯することが一般的になってきている。しかし、一般に流通している買い物バッグは嵩張るものが多く、収納についても丁寧な折りたたみが必要など、使用者にとって毎日の携帯には負担となる面があった。エコという観点から、買い物の目的を持って外出するときはもちろん、その他の日常的な外出時の急な買い物などでも嵩張らず、コンパクトに、また収納の負担が軽く、常に携帯できる買い物バッグを開発することで、前述の欠点を解決しようとするものである。
【課題を解決するための手段】
【０００４】    一般的に流通している買い物バッグの収納方法は丁寧に折り畳むことで、買い物バッグと同じ布で作成した小さな収納袋に入れることが多い。しかし、この場合収納の面倒さから折り畳むことをしなくなり、次第に買い物バッグの携帯頻度も低くなる。本校案では収納方法を折り畳み式ではなく、収納ケースの芯に巻き付けるという簡便な方法を採用。また収納ケースをプラスチック製にすることで、収まりが良く、またキーホルダーの金具を取り付けることにより、簡単に常に携帯できる。
【考案の効果】
【０００５】    上述の通り、収納を簡便にすることで、携帯率が高まり、店提供のビニール製レジ袋使用の頻度が低下し、ＣＯ２削減に貢献できる。
【考案を実施するための最良の形態】
【０００６】    布製の買い物バッグについては買い物に必要十分な耐久性を備えつつ、徹底した軽量化を図り、雨などの天候にもある程度対応できるだけの撥水性を備えている。
また、携帯用収納ケースについては、タマゴ形状の軟度のあるプラスチック製で、真ん中から半分がそれぞれ反転し開き、中心に軸がある。この軸に買い物袋を巻き付け、両側からケースの再度反転させると袋がタマゴ形状のケース内に収納される。
【実施例】
【０００７】  以下、添付図面に従って一実施例を説明する。１はキーホルダーとして鞄等に付けて携帯できるように取り付けた金属製のフック。２，３は半分の位置にある２Ａ、３Ａの合わせ口からそれぞれ反転させることができる軟度のプラスチック製の収納ケースで、２の方が縦が長く、その上部の穴に１の金属製フックが取り付けられている。２，３をそれぞれ反転展開すると、２，３は４のプラスチック製の軸により繋がっており、４の軸に５のバッグを巻き付ける。５のバッグを巻き付けたのち、再度２，３を反転させ２Ａ、３Ａを合わせることで、５のバッグを収納する。
【図面の簡単な説明】
【０００８】
【図１】本考案の携帯型収納ケース付買い物バッグの一実施例を示す正面図である。
【図２】収納ケース左側面図である。
【図３】収納ケース展開図である。
【図４】買い物バッグである。
【符号の説明】
【０００９】１  金属製フック
２  収納ケースの左半分
３  収納ケースの右半分
４  バッグ巻き付け用軸
５  買い物バッグ
【図１】
0003146678.tif 000003
【図２】
0003146678.tif 000004
【図３】
0003146678.tif 000005
【図４】
0003146678.tif 000006
(57)【要約】【課題】手で握ることなく使用できる包丁を提供する。【解決手段】この包丁は柄部又は把部を手置台の先端に固定し、前記手置台は上面が前記先端部から末端部に向かって上方に傾斜しており、少なくとも２本のバンドが間隔を置いて前記手置台を横断するように設けられており、前記バンドの一端は側面部に固定され、他端が手置台の反対側に長さを調整可能に固定できることにより握らなくても使用する事ができる。【選択図】図１
0003146869.tif 000002
【実用新案登録請求の範囲】
【請求項１】
包丁の柄部又は把部を手置台に固定し、前記手置台の上面が前記包丁の刃先線に対して上部に向かって傾斜し、かつ少なくとも２本のバンドが間隔を置いて前記手置台上面を横断するように設けられ、前記２本のバンドの一端側は前記手置台の側面部に固定され、他端側が前記手置台の反対側側面に長さ可変に固定できることを特徴とする包丁。
【請求項２】
前記手置台の上面が前記包丁の刃先線に対して上部に向かってＡ５度以上Ａ３０度以下傾斜していることを特徴とする請求項１記載の包丁。
【請求項３】
前記手置台はその厚みが長さ方向に厚くなっていることを特徴とする請求項１又は請求項２に記載の包丁。
【請求項４】
前記包丁の柄部が包丁の刃先線に対して上方に傾斜していることを特徴とする請求項１又は請求項２に記載の包丁。
【請求項５】
前記バンドはベルトであって他端側に長さ方向に配列した複数の穴を有し、前記手置台側面に前記穴に係合可能なピンを有する請求項１、請求項２、請求項３又は請求項４に記載の包丁。
【請求項６】
前記バンドがコイルバネである請求項１、請求項２、請求項３又は請求項４に記載の包丁。
【考案の詳細な説明】
【技術分野】
【０００１】
本考案は握らなくても使用可能な包丁に関する。
【背景技術】
【０００２】
従来の包丁は把手を握って食材を切断していた（特許文献１参照）。
【０００３】
【特許文献１】実公３０９０２３５号公報
【考案の開示】
【考案が解決しようとする課題】
【０００４】
手に何らかの障害があるため包丁の把手を握ることのできない人は、把手を握ることを要する従来の包丁は使用できない。このため包丁の把手を握ることのできない人が使用可能な包丁の提供が望まれていた。
【課題を解決するための手段】
【０００５】
前記目的を達成する為に、次の考案をした。第１考案に係る包丁は、包丁の柄部又は把部を手置台に固定し、前記手置台の上面が前記包丁の刃先線に対して上部に向かって傾斜し、かつ少なくとも２本のバンドが間隔を置いて前記手置台上面を横断するように設けられ、前記２本のバンドの一端側は前記手置台の側面部に固定され、他端側が前記手置台の反対側側面に長さ可変に固定できることを特徴とする包丁である。
【０００６】
第２考案に係る包丁は、前記手置台の上面が前記包丁の刃先線に対して上部に向かってＡ５度以上Ａ３０度以下傾斜していることを特徴とする第１考案の包丁である。
【０００７】
第３考案に係る包丁は、前記手置台がその厚みが長さ方向に厚くなっていることを特徴とする第１考案又は第２考案の包丁である。
【０００８】
第４考案に係る包丁は、前記包丁の柄部が包丁の刃先線に対して上方に傾斜していることを特徴とする請求項１又は請求項２の包丁である。
【０００９】
第５考案に係る包丁は、前記バンドがベルトであって他端側に長さ方向に配列した複数の穴を有し、前記手置台側面に前記穴に係合可能なピンを有することを特徴とする第１考案、第２考案、第３考案又は第４考案の包丁である。
【００１０】
第６考案に係る包丁は、前記バンドがコイルバネであることを特徴とする第１考案、第２考案、第３考案又は第４考案の包丁である。
【考案の効果】
【００１１】
第１考案の包丁によると、包丁を握ることなく食材を切ることができる。第２考案の包丁は角度がより適切な値になっているため使用時に刃先面が俎にほぼ全面的に当たるので使いやすい。第３考案の包丁は手置台の厚みを変えるという、第４考案の包丁は包丁柄部を傾斜するという、簡易な構造で適切な角度を形成できる。
【００１２】
第５考案の包丁はベルトで手の甲を手置台にしっかり長さ可変に固定できるから使いやすいし、第６考案の包丁はバンドをコイルバネにしたため手を手置台に着脱容易に弾性的にしっかり固定できる。
【００１３】
これらの考案に係る包丁によると、包丁を握ることが困難な者、例えば、蜂に刺されて手が腫れて包丁を握られない者、指が湾曲固定して包丁を握られない者、その他指に傷害があって包丁が握れない者が安定して野菜等を切ることができる。
【考案を実施するための最良の形態】
【００１４】
実験によると、前記傾斜をＡ５度以上Ａ３０度以下、望ましくはＡ１０度以上Ａ２０度以下にすると使い易い。Ａ５度未満では刃先部が俎に当たらないため使いにくいし、Ａ３０度を超えると刃元部が俎に当たらないため使いにくい。
【００１５】
前記バンドはベルトであって自由端側に複数の穴を有し、前記手置台側面は前記穴に係合可能なピンを有している。２つのバンドの中間にナックル部（指の関節）がくるようにバンドを配置すると包丁が使いやすい。バンドは３本でもよい。
包丁に取りつけた手置台２に、指先が先端側５にくるようにして手をのせる。バンド７の先端側バンドは、中手指節関節にくるように末端側バンドは手首にくるようにして、手の大きさに合わせて調整ピン８で止める。
【００１６】
前記ベルトは、金属製の弾性のあるコイルバネが使用できる。ワンタッチテープでもよい。
【図面の簡単な説明】
【００１７】
【図１】本考案に係る包丁の実施例を示す全体斜視図である。
【図２】本考案に係る包丁の別の実施例を示す全体斜視図である。
【図３】本考案に係る包丁の別の実施例を示す全体斜視図である。
【図４】刃先線と手置台の角度の説明図である。
【符号の説明】
【００１８】
１   包丁
２   手置台
３   柄部
４   手置台上面
５   先端
６   末端
７   バンド
８   ピン
９   把部
１０ 柄部先端
１１ 柄部末端
１２  刃先線
【図１】
0003146869.tif 000003
【図２】
0003146869.tif 000004
【図３】
0003146869.tif 000005
【図４】
0003146869.tif 000006
(57)【要約】      （修正有）【課題】コーヒー用あるいは紅茶用カップを受け皿上に置いて持ち運びするとき、カップを安定させて運べる受け皿を提供する。【解決手段】コーヒー用あるいは紅茶用カップの受け皿中央部に凹部を設け、その凹部の一部から、カップ下方部の形状及びハンドル下方部の形状に沿った支持部を受け皿に設けることによって、コーヒー用あるいは紅茶用カップを受け皿上に安定させることができる。これにより安定して持ち運びすることが可能になる。【選択図】図３
0003146850.tif 000002
【実用新案登録請求の範囲】
【請求項１】
コーヒー用あるいは紅茶用カップのカップ下方部形状に沿い、かつハンドル下方部形状に沿う支持部を有することを特徴とする、コーヒーカップあるいは紅茶カップの受け皿
【考案の詳細な説明】
【技術分野】
【０００１】
本考案は、コーヒー用あるいは紅茶用のハンドルを有するカップを、受け皿に安定させて置くことの出来る、受け皿の提供を課題とするものである。
【背景技術】
【０００２】
コーヒー用あるいは紅茶用カップの受け皿の中央部には、その多くに、カップを置くための凹部が、カップの底部形状に合わせて設けられている。
【０００３】
受け皿に凹部のあるものと、それの無いものを比較した場合、凹部の無いものはカップが横滑りを起こし不安定である。他方、凹部のある受け皿はカップの横滑りをある程度防ぐことが出来る。
【０００４】
コーヒー用あるいは紅茶用カップはハンドルを有するため、湯呑み等ハンドルを有しないカップに比較すると、その重心は上方にあり、しかもハンドルの側に重心が移動しており、揺れて倒れやすい形状となっている。
【０００５】
このようなために、コーヒー用あるいは紅茶用カップを受け皿に置いたままで移動する際には、カップが揺れてカップ内の液体がこぼれたり、カップ自体が倒れることがある。
【考案の開示】
【考案が解決しようとする課題】
【０００６】
本考案は、カップを受け皿に置いた状態にての持ち運びにおいて、横滑りや揺れを少なくできる受け皿を提供することを課題とする。
【課題を解決するための手段】
【０００７】
受け皿において、受け皿中央部にカップを受ける凹部１を設け、更にコーヒー用あるいは紅茶用カップのカップ下方部の形状に沿った支持部２、かつハンドル下方部の形状に沿った支持部３を備えた構造とした。
【実施例】
【０００８】
コーヒー用あるいは紅茶用カップの底部の形状にあわせた凹部を受け皿中央部に設け、その凹部の一部から、コーヒー用あるいは紅茶用カップのカップ下方部の形状及びハンドル下方部の形状に沿った支持部を受け皿に設けた。
【０００９】
受け皿に設けた本考案の支持部に沿わせコーヒー用あるいは紅茶用カップを置き、その支持部にカップの重心を預けるように受け皿を持つことによって安定して持ち運びする事が可能である。
【００１０】
外食産業或いは立食パーティにおけるコーヒーや紅茶のセルフサービスに対して、より安心して利用できるコーヒー用あるいは紅茶用カップ＆ソーサーとして活用できる。
【図面の簡単な説明】
【００１１】
【図１】カップを安定させて置くことの出来る受け皿の斜視図
【図２】カップを安定させて置くことの出来る受け皿のカップ支持部の斜め正面からの図
【図３】カップを安定させて置くことの出来る受け皿にカップを置いた図
【符号の説明】
【００１２】
１  受け皿中央部に設けた凹部
２  カップ下方部の形状に沿う支持部
３  カップのハンドル下方部に沿う支持部
【図１】
0003146850.tif 000003
【図２】
0003146850.tif 000004
【図３】
0003146850.tif 000005
(57)【要約】      （修正有）【課題】右手で手招きし、左手に団扇を持つ形の左団扇の招き猫を提供する。【解決手段】招き猫の右手１で手招きし、左手２に団扇３を持っている形とした。招き猫は幸運と金運を招くと言われる。その右手で手招きをし、左手に裕福で余裕があると言われる左団扇を持つ形態とした。この二つを組み合わせた事で、相乗効果により縁起物としての付加価値が倍増される。【選択図】図１
0003146810.tif 000002
【実用新案登録請求の範囲】
【請求項１】
右手で手招きをし、左手に団扇を持つ形の招き猫「左団扇の招き猫」の置き物。
【請求項２】
請求項１を模して応用した、ストラップやキーホルダー、土鈴、根付け、貯金箱の縁起物小物。
【考案の詳細な説明】
【技術分野】
【０００１】  この考案は、左手に団扇を持ち、右手で手招きをする形の「左団扇の招き猫」と言うべき縁起物置物の招き猫に関するものである。
【背景技術】
【０００２】  従来より、招き猫は幸運と金運を招く縁起物として広く親しまれている。
【考案の開示】
【考案が解決しようとする課題】
【０００３】  本来、左団扇とは、裕福で余裕のある暮らしをしている様を表す意味の諺である。本案は、これを縁起物に取り入れたものである。
【課題を解決するための手段】
【０００４】  右手で手招きをして、左手で団扇を使っている招き猫の形とした。
【考案の効果】
【０００５】  招き猫は幸運と金運を招くと言われる。その右手で手招きをし、左手に裕福で余裕があると言われる「左団扇」を持つ形態とした。この二つを組み合わせた事で、相乗効果により縁起物としての付加価値が倍増される。
【考案を実施するための最良の形態】
【０００６】  本案の「左団扇の招き猫」の形態は、文字通り、見た目にもほほえましい、親しみのある縁起物の置き物となる。
なお、この考案は置き物だけに限らず、これを模して、ストラップや、キーホルダー、土鈴、根付け、貯金箱の縁起物小物にも応用する事が出来るものである。
【図面の簡単な説明】
【０００７】
【図１】  本考案の正面図。
【符号の説明】
【０００８】  １  右手    ２  左手    ３  団扇
【図１】
0003146810.tif 000003
(57)【要約】      （修正有）【課題】Ｈ型柱を有し、快速に、層板が組み立て、分解できる置物棚を提供する。【解決手段】複数のＨ型柱１、複数の錐体２と複数の層板３からなる。Ｈ型柱は、竹板、及び、竹板の間に設置される間隔ブロック１２からなる。該間隔ブロックにより、竹板の間に複数の槽孔を構成する。錐体は、二個の半錐体２１を組み合わせてなり、二個の半錐体は、Ｈ型柱の両側に組み合わされると共に、間隔ブロックの支承を受ける。層板は、複数の下が広く上が狭い錐体通孔３１を有し、錐体通孔の錐度は、錐体の錐度に対応し、層板の錐体通孔がＨ型柱の各錐体に設置されるとき、層板をＨ型柱に固定して、置物棚を構成する。【選択図】図３
0003146820.tif 000002
【実用新案登録請求の範囲】
【請求項１】
H型柱を有し、快速に、層板が組み立て、分解できる置物棚であって、
それぞれ、二竹板、及び、前記竹板間に設置される複数の間隔ブロックと、からなり、前記間隔ブロックにより、前記二竹板間が複数の槽孔を構成する複数のH型柱と、
二個の半錐体からなり、前記半錐体の対応面に、それぞれ、前記二竹板の厚さに対応するスロットを有し、前記スロット間に、前記両竹板の間の槽孔に対応する中間板を設置し、前記両半錐体は、前記H型柱の両側に対応して組み合わされ、且つ、前記両半錐体が前記間隔ブロックにより支承される複数の錐体と、
それぞれ、複数の錐体通孔を有し、前記錐体通孔の下端直径は上端直径より大きく、且つ、錐度は、前記錐体の錐度に対応し、前記錐体通孔が、前記H型柱の各錐体に設置される時、緊密に、前記H型柱に固定される複数の層板と、
からなることを特徴とする置物棚。
【請求項２】
前記H型柱は、四本含み、前記層板は方形で、前記層板の四隅にそれぞれ前記錐体通孔を設置することを特徴とする請求項１に記載の置物棚。
【考案の詳細な説明】
【技術分野】
【０００１】
本考案は、H型柱を支承素子とし、錐体と合わせて使用して、快速便利に層板を組み合わせて、置物棚を構成したり、快速便利に置物棚を分解することができる設計に関するものである。
【背景技術】
【０００２】
一般の置物棚が採用する材料が多くあり、木材、プラスチック、金属等があるが、置物棚は、実用功能以外に、緻密で、優美が外観を提供する装飾効果があり、竹材や、木材で製造された収納装置は、素朴な印象を与え、特に、欧米人に人気がある。
【０００３】
現在竹材や、木材で製造される置物棚は、大きく、立柱と層板からなり、層板は分層で、各立柱の間に装着され、立柱により棚の重量を支承している。層板は、物品を放置するために用いられる。層板と立柱の装着方式は、現在、ねじなどで固定する方式であり、組み立て、分解が不便であり、自身で組み立てる場合は、更に、不便である。
【考案の開示】
【考案が解決しようとする課題】
【０００４】
本考案の目的は、H型柱を有し、快速に、層板が組み立て、分解できる置物棚を提供し、上述の問題を解決することにある。
【課題を解決するための手段】
【０００５】
本考案は、複数のH型柱、複数の錐体と複数の層板からなる。H型柱は、二竹板、及び、二竹板の間に設置される間隔ブロックからなる。感覚ブロックにより、二竹板の間に複数の槽孔を構成する。錐体は、二個の半錐体を組み合わせてなり、二個の半錐体は、Ｈ型柱の両側に組み合わされる徒共に、間隔ブロックの支承を受ける。層板は、複数の下が広く上が狭い錐体通孔を有し、錐体通孔の錐度は、錐体の錐度に対応し、層板の錐体通孔がH型柱の各錐体に設置されるとき、層板をH型柱に固定して、置物棚を構成する。取り外したい時、層板を反対に上に持ち上げると、錐体が錐体通孔から外れて、層板が取り外される。
【考案の効果】
【０００６】
本考案により、快速に、層板が組み立て、分解できる置物棚が提供される。
【考案を実施するための最良の形態】
【０００７】
本考案のH型柱を有し、快速に、層板が組み立て、分解できる置物棚の好ましい実施例は、複数のH型柱１、錐体２（図１で示される）と複数の層板３（図３で示される）からなる。図１で示されるH型柱１は、二個の竹板１１、及び、竹板１１の間に設置される複数の間隔ブロック１２を有し、H型柱１は、側辺から見てH型になっている。また、二竹板１１の間に複数の間隔ブロック１２を設置するので、間隔ブロック１２は、二竹板１１の間に複数の槽孔を構成する。間隔ブロック１２と竹板１１の結合は粘着圧合技術により固定するか、或いは、螺子などの固定素子により鎖固する。
【０００８】
本考案の錐体２は、二個の相同の構造を有する半錐体２１からなり、半錐体２１の対応面（即ち、垂直面）は、それぞれ、竹板１１の厚さに対応するスロット２１２を設置する。両スロット２１２の間は、竹板１１の間の槽孔に対応する中間板２１１を有し、二個の半錐体２１により、H型柱１の両側に対応して組み合わせ、中間板２１１が両竹板１１間の槽孔に挿入され、両竹板１１両側が、両半錐体２１のスロット２１２に挿入される。
【０００９】
本考案の層板３は、フレーム体、及び、複数の棒状の竹材からなり、本考案の実施例によると、層板３は方形で、方形の四隅にそれぞれ錐体通孔３１を設置し、錐体通孔３１の下端の直径は上端の直径より大きく、且つ、錐度は、錐体２の錐度に対応し、錐体２は、錐体通孔３１内で密合して組み合わされる。
【００１０】
本考案の置物棚の組み合わせは、図１で示されるように、二半錐体２１をH型柱１の両側から対応させ、半錐体２１の中間板２１１を両竹板１１間の槽孔に挿入し、両竹板１１の両側を両半錐体２１のスロット２１２に挿入して、錐体２を構成し、錐体２下面が、層板３を装着したい間隔ブロック１２に支承される（図２で示される）。その後、錐体通孔３１と錐体２が緊密に結合するまで、
層板３の錐体通孔３１がH型柱１の上方から穿過され（図３と図４で示される）、層板３が各H型柱１に組み合わされる（図３と図５で示される）。前述の組み立て方式により、各層板３が各H型柱１の異なる高度位置に装着されて、置物棚を構成する（図６で示される）。本考案の実施例によると、四個のH型柱１に複数の方形層板３を組み合わせて、置物棚を構成する。
【図面の簡単な説明】
【００１１】
【図１】本考案の二個の半錐体ブロックをH型柱に組み合わせた実施例の立体分解図である。
【図２】図１の素子組み合わせ後の実施例の立体図である。
【図３】本考案の錐体をH型柱に組み合わせ、更に、層板を組み合わせた実施例の立体分解図である。
【図４】本考案の錐体をH型柱に組み合わせ、更に、層板を組み合わせた実施例の平面分解図である。
【図５】図４の素子組み合わせ後の構造の平面図である。
【図６】本考案の置物棚組み合わせ後の状態を示す立体図である。
【符号の説明】
【００１２】
H型柱１
錐体２
層板３
竹板１１
間隔ブロック１２
半錐体２１
スロット２１２
錐体通孔３１
中間板２１１
【図１】
0003146820.tif 000003
【図２】
0003146820.tif 000004
【図３】
0003146820.tif 000005
【図４】
0003146820.tif 000006
【図５】
0003146820.tif 000007
【図６】
0003146820.tif 000008
(57)【要約】      （修正有）【課題】太陽光発電やＵＳＢ入力による蓄電部分を持ち、充電する機器との接続にはＵＳＢポートを用いた携帯機器用充電器を提供する。【解決手段】充電器の上面にソーラーパネル２を貼り、側面にＵＳＢの入力ポートとＵＳＢの出力ポートを設け、機器接続時に本体が安定するよう底面が平滑な円盤状とする。また、吊り下げ用の穴を備え、鞄などに吊り下げることで、戸外での太陽光発電に対応する。ソーラーパネル２により発電された電力、又はＵＳＢ入力ポートから得られた電力を、本体内部の二次電池４に蓄電し、ＵＳＢ出力ポートから携帯電話等接続機器に供給できるように構成する。【選択図】図１
0003146814.tif 000002
【実用新案登録請求の範囲】
【請求項１】
充電器本体に取り付けたソーラーパネルを用いた太陽光発電により発電された電力、又はＵＳＢ入力ポートから得られた電力を本体内部の二次電池に蓄電し、ＵＳＢ出力ポートから電力を供給し、接続機器に対応したコネクターを介して携帯電話や携帯型音楽プレーヤー、携帯型ゲーム機などの多様な機器へ充電できることを特徴とした充電器。
【考案の詳細な説明】
【技術分野】
【０００１】  本考案は太陽光発電やＵＳＢ入力による蓄電部分を持ち、充電する機器との接続にはＵＳＢポートを用いる充電器に関するものである。
【背景技術】
【０００２】  乾電池交換式携帯電話用充電器は接続可能な機種が限定され、使用済み電池の廃棄を伴うものであった。
【考案の開示】
【考案が解決しようとする課題】
【０００３】  乾電池交換式携帯電話用充電器は電池の購入による経済的負担や、使用済み電池の廃棄による地球環境への負荷が生じる。また電話機接続のためのコネクターが専用形状であるため、利用可能機種が限定される。
【課題を解決するための手段】
【０００４】  本考案は乾電池の代わりにソーラーパネルを用いた太陽光発電、又はＵＳＢ入力ポートから電力を得るようにし、出力用の接続は汎用性のあるＵＳＢ接続とすることで対応可能な機器が多様となる。また小型にすることで常時持ち歩きできる。
【考案の効果】
【０００５】  上述のように、本考案の充電器は太陽光発電及びＵＳＢ入力とすることで使用済み電池の廃棄による地球環境への負荷の軽減に貢献し、出力をＵＳＢ接続とすることで携帯電話、携帯型音楽プレーヤー、携帯型ゲーム機など、多様な機器への充電ができる。また、太陽光発電であることと小型であることから、乾電池交換式携帯電話用充電器が容易に入手できない場所や、災害時の停電にも対応できる。
【考案を実施するための最良の形態】
【０００６】  充電器の上面にソーラーパネルを貼り、側面にＵＳＢの入力ポートとＵＳＢの出力ポートを設け、機器接続時に本体が安定するよう底面が平滑な円盤状とする。また、吊り下げ用の穴を備え、鞄などに吊り下げることで、戸外での太陽光発電に対応する。
【図面の簡単な説明】
【００００７】
【図１】本考案の太陽光発電式携帯機器用ＵＳＢ接続充電器を示す
【符号の説明】
【００００８】  １  ソーラーパネルカバー
２  ソーラーパネル
３  本体上部ケース
４  蓄電用二次電池
５  本体下部ケース
【図１】
0003146814.tif 000003
(57)【要約】      （修正有）【課題】歯科の分野において有歯顎と無歯顎との義歯の製作に対して、顔面の正面と顎部とに押当てて咬合の高径を測定する測定器具を提供する。【解決手段】測定器具本体を、縦方向の測定杆と昇降計測体とより構成し、該測定扞には、上端に水平の測定突刃部を形成する。また、該測定杆には、側面に計測目盛を刻印してある。更に、該昇降計測体には、昇降螺子を設けると共に、他方に支持片を介在して下顎当て部を形成したことを特徴としている。【選択図】図５
0003146815.tif 000002
【実用新案登録請求の範囲】
【請求項１】
測定器具本体（１）は、縦方向の測定杆（２）と昇降計測体（３）より形成され、該測定杆（２）には、上端に水平の測定突刃部（５）を形成し、且つ、該測定杆（２）には、側面の縦方向に計測目盛（６）を刻設し、該昇降計測体（３）には、昇降螺子（７）を設け、他方に支持片（８）を介在して下顎当て部（９）を形成したことを特徴とする義歯の咬合高径の測定器具。
【考案の詳細な説明】
【技術分野】
【０００１】  本考案は、歯科の医療分野における有歯顎と無歯顎との歯科の義歯の製作に際して、顔面の正面と頤部とに押当てて咬合高径を正確に測定する義歯の咬合高径の測定器具に関するものである。
【背景技術】
【０００２】  従来この種の義歯の製作に際し、義歯又は総義歯等の咬合の調整に際しては、各義歯を製作し、これを口内において、咬み合せの状態を常時に判断し、これに対応して義歯等を技工作業により咬合を調整する事が一般的に実施されている現状である。
【考案の開示】
【考案が解決しようとする課題】
【０００３】  上記の義歯の製作にあたっては、歯型を作り、義歯又は総義歯は容易に製作できるが、製作された義歯と、義歯及び歯肉との咬合関係は、口内において一致しないのが普通の事柄であると云う問題点がある。
本考案は、従来の上記技術に鑑みてなされたものであり、その目的とする所は、測定器具本体に測定杆と昇降計測体とを以って顔面の鼻部と下顎部とに押当てることによって、総義歯等の咬合高径を正確容易に測定する器具を提供するものである。
【課題を解決するための手段】
【０００４】  上記目的を達成するために、本考案は、縦方向の測定杆と、該測定杆に嵌合する昇降計測体とを一体に形成する。該測定杆には、上部に測定突刃部を設け、側面に計測目盛を刻印してある。また、該昇降計測体には、一方に昇降を自由にする昇降螺子を設け、他方の端部に曲面部を設けた下顎当て部を形成したものである。
【考案の効果】
【０００５】  本考案は、上述の通り構成されているので、従来の如く、義歯の装設に対しては、口内に合せた義歯を構成するのに、口内より再度の取り外しによる義歯の技工作業を著しく簡略される効果がある。また、義歯及び総義歯によって義歯自体の充命が著しく延長できると共に、咬合によって生ずる頭痛、耳鳴り、うつ病等の精神的負担がなくなり、安心できると云う効果がある。
更に、測定杆の上端に設けた測定突刃部には、先端にホワイトワックス等を塗布し、これを安定位置を示す鼻頂部にホワイトワックス等を横書する作用を果す効果と、該測定杆の側面に設けた計測目盛によっては、義歯の咬合高径の寸法を正確に測れる効果がある。
また、昇降計測体に設けた下顎当て部によって測定器具本体を片手で充分固定でき、且つ該昇降計測体に設けた昇降螺子の移動によって咬合高径の寸法を正確に測ることができる効果がある。
【考案を実施するための最良の形態】
【０００６】  上記の様に構成されている本考案によれば、図５に示す如く、人の顔面に対して昇降螺子（７）を緩め、測定器具本体（１）を顔面正面の中央に持って行き、下顎当て部（９）を下顎に当て、片手を維持し、測定突刃部（５）の先端にホワイトワックスを付着し、鼻部（１１）の頂部に正確に横書し、測定杆（２）の計測目盛（６）を見てその距離を読み取り、該昇降螺子（７）によって固定する。
次に、旧義歯を外し、新義歯に対して、上記と同様に該測定杆（２）の該測定突刃部（５）に再度ホワイトワックスを塗り、上記と同じく顔面の該鼻部（１１）に当て、新咬合が旧義歯より高ければ、二度目の測定突刃部（５）に塗った白線が元の白線より下に横書される。
この二本の白線の間を計測することにより旧義歯と新咬合とが各々旧義歯と新義歯の咬合高径の誤差を正確に知ることができる。
そして、旧義歯と新義歯との咬合高径が同一でよければ、旧義歯の白線と新義歯との白線が重合すれば良いと云うことである。
【実施例】
【０００７】  次に、本考案の実施例を図面について説明すると、図１は、正面図で、測定器具本体（１）は、縦方向の測定杆（２）と、該測定杆（２）に嵌合されている昇降計測体（３）を示し、該測定杆（２）には、図３に示す如く、上端に水平の測定突刃部（５）を設けると共に、側面に計測目盛（６）を刻印してある。該計測目盛（６）には、例えば、１．０ｍｍ目盛りで、測定範囲６０．０ｍｍ迄刻設してある。
また、図３に示す如く、上下に摺動する昇降計測体（３）には、内部にズレ防止のオーリング嵌合した昇降螺子（７）を装設してある。
該昇降計測体（３）には、該測定突刃部（５）の真下に支持片（８）を介在して内方に屈曲した下顎当て部（９）を形成してある。符号（１１）は鼻部を示し、（１２）は下顎部を示したものである。
【図面の簡単な説明】
【０００８】
【図１】  本考案の正面図である。
【図２】  同じく本考案の背面図である。
【図３】  本考案の全体の側面図である。
【図４】  本考案の一部欠除した斜面図である。
【図５】  本考案を顔面の一部に装設して測定状態の側面図である。
【符号の説明】
【０００９】１            測定器具本体
２            測定杆
３            昇降計測体
５            測定突刃部
６            計測目盛
７            昇降螺子
８            支持片
９            下顎当て部
１１          鼻部
１２          下顎部
【図１】
0003146815.tif 000003
【図２】
0003146815.tif 000004
【図３】
0003146815.tif 000005
【図４】
0003146815.tif 000006
【図５】
0003146815.tif 000007
(57)【要約】      （修正有）【課題】強い把持力を持つ構造の爪付きトングを提供する。【解決手段】爪付きトングはトングの２本のハンドルの先端部に互い向い合って噛み合う複数の爪を取付けていることを特徴とする。本考案のトングを用いると身体に自然な形で容易に大小の物を拾い上げることができ、また草抜き具として用いると手を汚さずに草を抜くことができる。【選択図】図２
0003146812.tif 000002
【実用新案登録請求の範囲】
【請求項１】
バネに接続された２本のハンドルの先端をハンドルの長軸に対して直角の直線とし、その直線をなす先端に互いに向かい合って噛み合う複数の爪を取付けたトング。
【請求項２】
バネに接続された２本のハンドルの先端を半円形となし、その半円をなす先端に互いに向かい合って噛み合う複数の爪を取付けたトング。
【考案の詳細な説明】
【技術分野】
【０００１】  本考案は先端に爪を取付けたトングに関するものである。
【背景技術】
【０００２】  手でゴミを拾い上げたり草を抜いたりするのは手が汚れ、あるいは腰をかがめなければならないので何らかの道具を用いることが望ましい。【０００３】  （従来の技術）
ゴミを拾い上げるために従来一般的に「万能トング」ないし「バーベキュートング」と呼ばれるトングが用いられてきた。これはバネに接続された２本の長い金属板から成るもので、物をはさむ先端部は方形で平滑となっている。このため把持力が弱いので重い物は拾い上げにくかった。また小さい物を拾い上げるのにも適していなかった。【０００４】  また従来のトングは先端部が方形であるために、地面のゴミを拾い上げる時にはトングの長軸を地面に対して垂直にしなければならなかった。【０００５】  また先端部をフォーク状としたトングが流通しているが、これは缶、ビンを拾い上げるのに適したものであるが、紙くず、タバコの吸殻、枯葉などの普通のゴミを拾い上げるのには適していない。【０００６】  特開２００２−１７５４４ではハンドルの先端を円形の椀型としたトングを公開しているが、この構造によって把持力が強くなるとは考えにくい。
【考案の開示】
【考案が解決しょうとする課題】
【０００７】  強い把持力を持つ構造のトングを提供し、もって利便性と産業上の価値の大きいトングを提供すること。
【課題を解決するための手段】
【０００８】  本考案はトングの２本ハンドルの先端に互いに向かい合って噛み合う爪を取り付けることにより、把持力を強化したトングとなっている。
【考案の効果】
【０００９】  上述のように本考案のトングではハンドルの先端に互いに向かいあって噛み合う爪が取付けられているので把持力が強い。したがって本考案のトングを用いるとゴミを拾い上げることが容易になる。
【考案を実施するための最良の形態】
【００１０】  トングの２本のハンドルの先端に互いに向いあって噛み合う複数の爪を取付ける。
【実施例】
【００１１】  以下、添付図面に従って実施例を説明する。１００はこの考案の爪付きトングの第一の実施例、２００は第２の実施例である。【００１２】  トング本体１００はバネ２０、バネ２０に接続された一対のハンドル３０、ハンドル３０の先端部４０、先端部４０に取付けられた爪５０からなる。【００１３】  トング本体１００のハンドル３０はバネ２０によって少し開いた状態に保たれている。ハンドル３０の先端部４０にハンドル３０の長軸と直角方向に整列された複数の爪５０が取付けられている。向いあう爪５０は互いの山谷が噛み合うようになっている。【００１４】  トング本体２００はバネ６０、バネ６０に接続された一対のハンドル７０、ハンドル７０の先端部８０、先端部８０に取付けられた爪９０からなる【００１５】  トング本体２００のハンドル７０はバネ６０によって少し開いた状態に保たれている。ハンドル７０の先端部８０はハンドル７０の長軸方向に凸となる半円形になっている。先端部８０の円弧に沿って整列された複数の爪９０が取付けられている。向いあう爪９０は互いの山谷が噛み合うようになっている。【００１６】  本考案の第一の実施例１００は上記の如き構成からなるものであるから、ハンドル３０を手で握ることにより先端部４０に強い把持力を生じさせることができるので、重い物でも容易に拾い上げることができる。【００１７】  また本考案の第一の実施例１００は草抜き具として用いると、先端部４０の爪５０で草の根元を挟むことにより、草を容易に抜くことができる。したがって手を汚さずに草を抜くことができる。【００１８】  本考案の第二の実施例２００は上記の如き構成からなるものであるから、ハンドル７０を手で握ることにより先端部８０に強い把持力を生じさせることができるので、重い物でも容易に拾い上げることができる。【００１９】  本考案の第二の実施例２００の先端部８０は半円形であるので、地面から物を拾い上げる時にハンドル７０の方向が地面に対して垂直である必要はなく、ハンドル７０を地面に対して斜めあるいは小さい角度としても容易に物を拾いあげることができる。したがって身体に自然な形で物を拾い上げることができる。【００２０】  本考案の第二の実施例２００を用いると缶や壜など大きなものも容易に拾い上げるのことができる。
【図面の簡単な説明】
【００２１】
【図１】本考案第一の実施例の全体を示す図である。
【図２】本考案の第二の実施例の全体を示す図である。
【図３】本考案の第二の実施例のハンドルの先端部を示す図である。
【符号の説明】
【００２２】１００  爪付きトング第一実施例本体
２０  バネ
３０  ハンドル
４０  ハンドルの先端部
５０  爪
２００  爪付きトング第二実施例本体
６０  バネ
７０  ハンドル
８０  ハンドルの先端部分
９０  爪
【図１】
0003146812.tif 000003
【図２】
0003146812.tif 000004
【図３】
0003146812.tif 000005